(57)【要約】【課題】本発明はクライアント端末からの指示に応じて同一原稿を繰り返し読み取って、意図する画像を読み取るネットワークスキャナシステムを提供する。【解決手段】ネットワークスキャナシステム１は、ネットワークスキャナ装置２が、クライアントコンピュータＰＣ１〜ＰＣｎからの読取指示に応じて、搬送機構部１３で、同一原稿Ｇを原稿読取面上に繰り返し搬送して原稿Ｇを読み取り、読み取った原稿Ｇの画像データを読取指示を送信してきたクライアントコンピュータＰＣ１〜ＰＣｎにネットワークＮＷを介して送信する繰り返し読取動作処理をクライアントコンピュータＰＣ１〜ＰＣｎからの読取指示がある毎に実行する。したがって、クライアントコンピュータＰＣ１〜ＰＣｎからの操作で、同一原稿Ｇを意図する画像品質で読み取られるまで繰り返し読み取らせることができ。【選択図】          図１
2004282446.tif 000002
【特許請求の範囲】
【請求項１】
ネットワークに少なくとも画像読取装置と複数のクライアント端末が接続され、前記画像読取装置が、前記クライアント端末で設定された読取条件に基づいて、読取面上を搬送される原稿を読取手段で読み取って当該読み取った原稿の画像データを前記ネットワークを介して当該クライアント端末または当該クライアント端末から指定された他の前記クライアント端末に送信するネットワークスキャナシステムであって、前記画像読取装置は、同一原稿を前記読取面上に繰り返し搬送する搬送手段、を備え、前記クライアント端末からの読取指示に応じて、当該搬送手段で同一原稿を前記読取面上に搬送して、前記読取手段で当該原稿を読み取って、当該読み取った原稿の画像データを当該読取指示を送信してきた前記クライアント端末に前記ネットワークを介して送信する繰り返し読取動作処理を前記クライアント端末からの読取指示がある毎に実行することを特徴とするネットワークスキャナシステム。
【請求項２】
ネットワークに少なくとも画像読取装置と複数のクライアント端末が接続され、前記画像読取装置が、前記クライアント端末で設定された読取条件に基づいて、読取面上を搬送される原稿を読取手段で読み取って当該読み取った原稿の画像データを前記ネットワークを介して当該クライアント端末または当該クライアント端末から指定された他の前記クライアント端末に送信するネットワークスキャナシステムであって、前記画像読取装置は、少なくとも２つの繰り返し読取原稿トレイと、当該繰り返し読取原稿トレイの間を前記読取面上を通過させて繰り返し搬送する搬送手段と、を備え、前記クライアント端末からの読取指示に応じて、前記搬送手段で、前記繰り返し読取原稿トレイの１つにセットされた原稿を前記読取面上を通過させて他の前記繰り返し読取原稿トレイ上に搬送し、当該読取面上を通過する当該原稿を前記読取手段で読み取って、当該読み取った原稿の画像データを当該読取指示を送信してきた前記クライアント端末に前記ネットワークを介して送信する繰り返し読取動作処理を前記クライアント端末からの読取指示がある毎に実行することを特徴とするネットワークスキャナシステム。
【請求項３】
前記画像読取装置は、１回のみ読み取りを行う原稿の載置される１回読取原稿トレイと、読み取りの完了した原稿の排出される排紙トレイと、をさらに備え、前記搬送手段が、当該１回読取原稿トレイ上に載置された前記原稿を前記読取面上を通過させて前記排紙トレイ上に排出させて、当該読取面上を通過する当該原稿を前記読取手段で読み取ることを特徴とする請求項２記載のネットワークスキャナシステム。
【請求項４】
前記画像読取装置は、前記繰り返し読取動作中に、前記１回読取原稿トレイ上に原稿が載置されると、当該繰り返し読取動作を一時中断して、当該１回読取原稿トレイ上の当該原稿の前記搬送と当該原稿の読み取りを優先して行い、当該１回読取原稿トレイ上の原稿の搬送と読み取りが完了すると、当該中断した繰り返し読み取り動作処理を続行することを特徴とする請求項３記載のネットワークスキャナシステム。
【発明の詳細な説明】
【０００１】
【発明の属する技術分野】
本発明は、ネットワークスキャナシステムに関し、詳細には、クライアント端末からの指示に応じて同一原稿を繰り返し読取面上に搬送して読み取って、意図する画像を簡単かつ容易に読み取るネットワークスキャナシステムに関する。
【０００２】
【従来の技術】
【特許文献１】
特開２０００−１８４１１０号公報
従来、原稿の画像を読み取る画像読取装置、例えば、スキャナは、ＳＣＳＩ等のインターフェイスでコンピュータに直接接続されており、スキャナで読み取った原稿の画像を当該接続されたコンピュータに転送して、コンピュータで各種画像処理等を行っている。
【０００３】
したがって、従来、スキャナは、コンピュータと１対１での使用となっており、スキャナに接続されたコンピュータ以外の他のコンピュータ等で当該スキャナで読み取った画像を利用する場合には、スキャナで読み取った画像を当該スキャナに接続されたコンピュータで、フロッピーディスク（登録商標）等の書込・読取可能で着脱可能な記録媒体に保管し、当該記録媒体を、当該画像を利用する他のコンピュータで読み取らせる方法が用いられていた。
【０００４】
一方、近時、ネットワーク接続可能なスキャナが出現し、ネットワークに、スキャナ及び複数のクライアントコンピュータが接続されたネットワーク環境において、複数の利用者が１台のスキャナを共有して使用する場面が増えている。
【０００５】
このようなネットワークに接続されたネットワークスキャナにあっては、ＳＣＳＩやＵＳＢ等でコンピュータと１対１で接続されているスキャナとは異なって、複数の利用者が利用できる等の利用性が向上される反面、以下のような問題があった。
【０００６】
すなわち、複数の利用者で共有されることから、ネットワークスキャナは、使用者のコンピュータと距離が離れた場所に設置されることが多く、利用者は、ネットワークスキャナに原稿をセットして読み取らせ、当該読み取らせた画像データを自分の端末のコンピュータに送信させて、自分の端末のコンピュータの設置場所に戻って、画像の確認を行う必要があった。
【０００７】
したがって、自分の端末のコンピュータに戻って、読み取りが正常に行われていなかったり、意図する画像が読み取られていなかった場合には、再度、ネットワークスキャナの設置されている場所まで行って、読み取りのやり直しを行わせる必要があり、利用性が悪いという問題があった。
【０００８】
そして、近時、ネットワークスキャナをネットワークに接続されたコンピュータから制御して読み取りを行わせることのできるネットワークスキャナが出現しており、この場合には、端末のコンピュータで画像の確認を行いながら読み取りや読み取りのやり直しを行わせることができ、意図する画像を得ることができる。
【０００９】
ところが、従来のネットワークスキャナは、原稿を１枚または１部を読み取る度に、原稿をセットする必要があり、複数枚の原稿を読取状態を確認しながら読み取らせるには、端末のコンピュータとネットワークスキャナとの間を何回も往復する必要があり、利用性が悪いだけでなく、複数枚の原稿の読み取りが完了するまで、１人の利用者がネットワークスキャナを長時間占有することとなり、ネットワークスキャナを複数の利用者で共有する場合の利用性が悪いという問題があった。
【００１０】
そして、従来、画像入力装置に画像確認用のディスプレイを設けた画像読取システムが提案されている（特許文献１参照）。
【００１１】
【発明が解決しようとする課題】
しかしながら、このような公報記載の従来技術にあっては、読取画像を確認できる大型のディスプレイを設ける必要があり、読取画像の画像品質を確認できる大型のディスプレイを設けるには、ネットワークスキャナの価格が高くなるとともに、大型化するという問題があった。
【００１２】
この場合、ディスプレイを小型化すると、小型のディスプレイに表示される画像では、正常に読み取られたか否か程度の判断を行うことはできるが、意図する画像品質で読み取られているか否かの判断は難しく、改良の必要があった。
【００１３】
そこで、請求項１記載の発明は、ネットワークに少なくとも画像読取装置と複数のクライアント端末が接続され、画像読取装置が、クライアント端末で設定された読取条件に基づいて、読取面上を搬送される原稿を読取手段で読み取って当該読み取った原稿の画像データをネットワークを介して当該クライアント端末または当該クライアント端末から指定された他のクライアント端末に送信するに際して、画像読取装置が、クライアント端末からの読取指示に応じて、同一原稿を読取面上に繰り返し搬送する搬送手段で同一原稿を読取面上に搬送して、読取手段で当該原稿を読み取って、当該読み取った原稿の画像データを当該読取指示を送信してきたクライアント端末にネットワークを介して送信する繰り返し読取動作処理をクライアント端末からの読取指示がある毎に実行することにより、クライアント端末と画像読取装置の間を往復移動することなく、また、画像読取装置に大型のディスプレイを設けることなく、クライアント端末からの操作で、同一原稿を意図する画像品質で読み取られるまで繰り返し読み取らせ、安価に意図する画像を容易に取得することのできる利用性の良好なネットワークスキャナシステムを提供することを目的としている。
【００１４】
請求項２記載の発明は、ネットワークに少なくとも画像読取装置と複数のクライアント端末が接続され、画像読取装置が、クライアント端末で設定された読取条件に基づいて、読取面上を搬送される原稿を読取手段で読み取って当該読み取った原稿の画像データをネットワークを介して当該クライアント端末または当該クライアント端末から指定された他のクライアント端末に送信するに際して、画像読取装置に、少なくとも２つの繰り返し読取原稿トレイと、当該繰り返し読取原稿トレイの間を読取面上を通過させて繰り返し搬送する搬送手段を設け、クライアント端末からの読取指示に応じて、搬送手段で、繰り返し読取原稿トレイの１つにセットされた原稿を読取面上を通過させて他の繰り返し読取原稿トレイ上に搬送し、当該読取面上を通過する当該原稿を読取手段で読み取って、当該読み取った原稿の画像データを当該読取指示を送信してきたクライアント端末にネットワークを介して送信する繰り返し読取動作処理をクライアント端末からの読取指示がある毎に実行することにより、クライアント端末と画像読取装置の間を往復移動することなく、また、画像読取装置に大型のディスプレイを設けることなく、クライアント端末からの操作で、同一原稿を意図する画像品質で読み取られるまで繰り返し読み取らせ、また、繰り返し読取原稿トレイを３つ以上設けることで、複数のクライアント端末からの読取指示にも適切に対応し、安価に意図する画像を容易に取得することのできるより一層利用性の良好なネットワークスキャナシステムを提供することを目的としている。
【００１５】
請求項３記載の発明は、１回のみ読み取りを行う原稿の載置される１回読取原稿トレイと、読み取りの完了した原稿の排出される排紙トレイと、を設け、搬送手段が、当該１回読取原稿トレイ上に載置された原稿を読取面上を通過させて排紙トレイ上に排出させて、当該読取面上を通過する当該原稿を読取手段で読み取ることにより、１回のみ読み取りを行う原稿を、繰り返し読み取りを行う原稿と区別して読取処理を行い、安価に意図する画像を容易に取得するとともに、より一層利用性の良好なネットワークスキャナシステムを提供することを目的としている。
【００１６】
請求項４記載の発明は、繰り返し読取動作中に、１回読取原稿トレイ上に原稿が載置されると、当該繰り返し読取動作を一時中断して、当該１回読取原稿トレイ上の当該原稿の搬送と当該原稿の読み取りを優先して行い、当該１回読取原稿トレイ上の原稿の搬送と読み取りが完了すると、当該中断した繰り返し読み取り動作処理を続行することにより、１回のみ読み取りを行う原稿の読み取りを、繰り返し読み取りを行う原稿の読み取りに優先して行って、画像読取装置が繰り返し読み取りを行うクライアント端末に占有されることを防止し、安価に意図する画像を容易に取得するとともに、より一層利用性の良好なネットワークスキャナシステムを提供することを目的としている。
【００１７】
【課題を解決するための手段】
請求項１記載の発明のネットワークスキャナシステムは、ネットワークに少なくとも画像読取装置と複数のクライアント端末が接続され、前記画像読取装置が、前記クライアント端末で設定された読取条件に基づいて、読取面上を搬送される原稿を読取手段で読み取って当該読み取った原稿の画像データを前記ネットワークを介して当該クライアント端末または当該クライアント端末から指定された他の前記クライアント端末に送信するネットワークスキャナシステムであって、前記画像読取装置は、同一原稿を前記読取面上に繰り返し搬送する搬送手段、を備え、前記クライアント端末からの読取指示に応じて、当該搬送手段で同一原稿を前記読取面上に搬送して、前記読取手段で当該原稿を読み取って、当該読み取った原稿の画像データを当該読取指示を送信してきた前記クライアント端末に前記ネットワークを介して送信する繰り返し読取動作処理を前記クライアント端末からの読取指示がある毎に実行することにより、上記目的を達成している。
【００１８】
上記構成によれば、ネットワークに少なくとも画像読取装置と複数のクライアント端末が接続され、画像読取装置が、クライアント端末で設定された読取条件に基づいて、読取面上を搬送される原稿を読取手段で読み取って当該読み取った原稿の画像データをネットワークを介して当該クライアント端末または当該クライアント端末から指定された他のクライアント端末に送信するに際して、画像読取装置が、クライアント端末からの読取指示に応じて、同一原稿を読取面上に繰り返し搬送する搬送手段で同一原稿を読取面上に搬送して、読取手段で当該原稿を読み取って、当該読み取った原稿の画像データを当該読取指示を送信してきたクライアント端末にネットワークを介して送信する繰り返し読取動作処理をクライアント端末からの読取指示がある毎に実行するので、クライアント端末と画像読取装置の間を往復移動することなく、また、画像読取装置に大型のディスプレイを設けることなく、クライアント端末からの操作で、同一原稿を意図する画像品質で読み取られるまで繰り返し読み取らせることができ、安価に意図する画像を容易に取得することができるとともに、利用性を向上させることができる。
【００１９】
請求項２記載の発明のネットワークスキャナシステムは、ネットワークに少なくとも画像読取装置と複数のクライアント端末が接続され、前記画像読取装置が、前記クライアント端末で設定された読取条件に基づいて、読取面上を搬送される原稿を読取手段で読み取って当該読み取った原稿の画像データを前記ネットワークを介して当該クライアント端末または当該クライアント端末から指定された他の前記クライアント端末に送信するネットワークスキャナシステムであって、前記画像読取装置は、少なくとも２つの繰り返し読取原稿トレイと、当該繰り返し読取原稿トレイの間を前記読取面上を通過させて繰り返し搬送する搬送手段と、を備え、前記クライアント端末からの読取指示に応じて、前記搬送手段で、前記繰り返し読取原稿トレイの１つにセットされた原稿を前記読取面上を通過させて他の前記繰り返し読取原稿トレイ上に搬送し、当該読取面上を通過する当該原稿を前記読取手段で読み取って、当該読み取った原稿の画像データを当該読取指示を送信してきた前記クライアント端末に前記ネットワークを介して送信する繰り返し読取動作処理を前記クライアント端末からの読取指示がある毎に実行することにより、上記目的を達成している。
【００２０】
上記構成によれば、ネットワークに少なくとも画像読取装置と複数のクライアント端末が接続され、画像読取装置が、クライアント端末で設定された読取条件に基づいて、読取面上を搬送される原稿を読取手段で読み取って当該読み取った原稿の画像データをネットワークを介して当該クライアント端末または当該クライアント端末から指定された他のクライアント端末に送信するに際して、画像読取装置に、少なくとも２つの繰り返し読取原稿トレイと、当該繰り返し読取原稿トレイの間を読取面上を通過させて繰り返し搬送する搬送手段を設け、クライアント端末からの読取指示に応じて、搬送手段で、繰り返し読取原稿トレイの１つにセットされた原稿を読取面上を通過させて他の繰り返し読取原稿トレイ上に搬送し、当該読取面上を通過する当該原稿を読取手段で読み取って、当該読み取った原稿の画像データを当該読取指示を送信してきたクライアント端末にネットワークを介して送信する繰り返し読取動作処理をクライアント端末からの読取指示がある毎に実行するので、クライアント端末と画像読取装置の間を往復移動することなく、また、画像読取装置に大型のディスプレイを設けることなく、クライアント端末からの操作で、同一原稿を意図する画像品質で読み取られるまで繰り返し読み取らせることができ、また、繰り返し読取原稿トレイを３つ以上設けることで、複数のクライアント端末からの読取指示にも適切に対応することができ、安価に意図する画像を容易に取得することができるとともに、より一層利用性を向上させることができる。
【００２１】
請求項２の場合、例えば、請求項３に記載するように、前記画像読取装置は、１回のみ読み取りを行う原稿の載置される１回読取原稿トレイと、読み取りの完了した原稿の排出される排紙トレイと、をさらに備え、前記搬送手段が、当該１回読取原稿トレイ上に載置された前記原稿を前記読取面上を通過させて前記排紙トレイ上に排出させて、当該読取面上を通過する当該原稿を前記読取手段で読み取るものであってもよい。
【００２２】
上記構成によれば、１回のみ読み取りを行う原稿の載置される１回読取原稿トレイと、読み取りの完了した原稿の排出される排紙トレイと、を設け、搬送手段が、当該１回読取原稿トレイ上に載置された原稿を読取面上を通過させて排紙トレイ上に排出させて、当該読取面上を通過する当該原稿を読取手段で読み取るので、１回のみ読み取りを行う原稿を、繰り返し読み取りを行う原稿と区別して読取処理を行ることができ、安価に意図する画像を容易に取得することができるとともに、より一層利用性を向上させることができる。
【００２３】
また、例えば、請求項４に記載するように、前記画像読取装置は、前記繰り返し読取動作中に、前記１回読取原稿トレイ上に原稿が載置されると、当該繰り返し読取動作を一時中断して、当該１回読取原稿トレイ上の当該原稿の前記搬送と当該原稿の読み取りを優先して行い、当該１回読取原稿トレイ上の原稿の搬送と読み取りが完了すると、当該中断した繰り返し読み取り動作処理を続行するものであってもよい。
【００２４】
上記構成によれば、繰り返し読取動作中に、１回読取原稿トレイ上に原稿が載置されると、当該繰り返し読取動作を一時中断して、当該１回読取原稿トレイ上の当該原稿の搬送と当該原稿の読み取りを優先して行い、当該１回読取原稿トレイ上の原稿の搬送と読み取りが完了すると、当該中断した繰り返し読み取り動作処理を続行するので、１回のみ読み取りを行う原稿の読み取りを、繰り返し読み取りを行う原稿の読み取りに優先して行って、画像読取装置が繰り返し読み取りを行うクライアント端末に占有されることを防止することができ、安価に意図する画像を容易に取得することができるとともに、より一層利用性を向上させることができる。
【００２５】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２６】
図１〜図５は、本発明のネットワークスキャナシステムの一実施の形態を示す図であり、図１は、本発明のネットワークスキャナシステムの一実施の形態を適用したネットワークスキャナシステム１のシステム構成図である。
【００２７】
図１において、ネットワークスキャナシステム１は、ＬＡＮ（Ｌｏｃａｌ  Ａｒｅａ  Ｎｅｔｗｏｒｋ）等のネットワークＮＷにネットワークスキャナ装置（画像読取装置）２及び複数のクライアントコンピュータ（クライアント端末）ＰＣ１〜ＰＣｎが接続されている。
【００２８】
ネットワークスキャナシステム１は、クライアントコンピュータＰＣ１〜ＰＣｎで、必要な読取条件等を設定した後、読取開始操作を行うと、クライアントコンピュータＰＣ１〜ＰＣｎから制御信号をネットワークＮＷを介してネットワークスキャナ装置２に送信し、ネットワークスキャナ装置２が当該制御信号を受信して、セットされている原稿の画像を制御信号で指定されている読取条件等に基づいて読み取りを行う。ネットワークスキャナ装置２は、原稿の読み取りが完了すると、当該読取を指示してきたクライアントコンピュータＰＣ１〜ＰＣｎまたは読取条件で指定された送信先クライアントコンピュータＰＣ１〜ＰＣｎに、読み取った原稿の画像データを送信する。
【００２９】
そして、ネットワークスキャナ装置２は、図２に示すように、本体筐体１１の上部にＡＤＦ（Ａｕｔｏ  Ｄｏｃｕｍｅｎｔ  Ｆｅｅｄｅｒ）１２が配設されており、ＡＤＦ１２は、搬送機構部（搬送手段）１３に、上部から読取専用原稿挿入口１４、２つの原稿挿入排出口１５、１６、反転原稿挿入排出口１７及び原稿排出口１８が順次設けられている。ＡＤＦ１２には、上記読取専用原稿挿入口１４に、読取専用原稿トレイ（１回読取原稿トレイ）１９が、原稿挿入排出口１５、１６に、繰り返し読取原稿トレイ２０、２１が、反転原稿挿入排出口１７に、反転トレイ２２が、それぞれ取り付けられており、本体筐体１１の上面には、上記原稿排出口１８から排出される読み取りの完了した原稿Ｇの載置される排紙トレイ２３が形成されている。
【００３０】
そして、ネットワークスキャナ装置２は、図３〜図５に示すように、本体筐体１１のＡＤＦ１２の設けられている面に、原稿読取面３０が設けられており、当該原稿読取面３０の下方の保体筐体１１内に、図示しない読取走査部が配設されており、読取走査部は、原稿読取面（読取面）３０上を搬送される原稿Ｇに、図示しない読取部（読取手段）の光源から読取光を照射して、当該原稿Ｇで反射される反射光をＣＣＤ（Ｃｈａｒｇｅ  Ｃｏｕｐｌｅｄ  Ｄｅｖｉｃｅ  ）等の光電変換素子で光電変換することで、原稿Ｇの画像を読み取る。
【００３１】
上記ＡＤＦ１２の読取専用原稿トレイ１９には、１回だけ読み取りを行って、繰り返し読み取りを行わない原稿Ｇが載置され、繰り返し読取原稿トレイ２０には、繰り返し読み取りを行う可能性のある原稿Ｇが載置される。また、繰り返し読取原稿トレイ２１には、繰り返し読取原稿トレイ２０にセットされて読み取りが行われて搬送されてきた原稿Ｇが原稿挿入排出口１６から送り込まれて載置され、また、繰り返し読取原稿トレイ２１上の原稿Ｇは、この原稿挿入排出口１６から送り出されて画像の読み取りが行われた後、上記繰り返し読取原稿トレイ２０上に原稿挿入排出口１５から送り込まれて載置される。反転トレイ２２には、読取専用原稿トレイ１９、繰り返し読取原稿トレイ２０、２１に載置された両面原稿Ｇが、搬送機構部１３で搬送されて読み取られる毎に反転原稿挿入排出口１７から送り込まれて載置され、再度、反転原稿挿入排出口１７から搬送機構部１３に送り出す。
【００３２】
排紙トレイ２３には、読取専用原稿トレイ１９に載置されて読み取りの完了した原稿Ｇが最終的に原稿排出口１８から送り出されて載置される。
【００３３】
そして、搬送機構部１３は、読取専用原稿トレイ１９上に載置された原稿Ｇについては、図５に破線と矢印で示すように、読取専用原稿トレイ１９上から原稿Ｇを取り込んで原稿読取面３０に搬送して画像の読み取りを行わせた後、当該原稿Ｇが片面原稿Ｇであると、そのまま、原稿排出口１８から排紙トレイ２３上に排出し、当該原稿Ｇが両面原稿Ｇであると、一旦、反転原稿挿入排出口１７から反転トレイ２２上に排出して原稿Ｇを反転させた後、再度、反転原稿挿入排出口１７から取り込んで、原稿読取面３０に搬送して裏面の画像の読み取りを行わせて、原稿排出口１８から排紙トレイ２３上に排出する。
【００３４】
また、搬送機構部１３は、繰り返し読取原稿トレイ２０上に載置された原稿Ｇについては、図３に破線と矢印で示すように、繰り返し読取原稿トレイ２０上の原稿Ｇを原稿挿入排出口１５から取り込んで原稿読取面３０に搬送して画像の読み取りを行わせた後、当該原稿Ｇが片面原稿Ｇであると、そのまま、原稿挿入排出口１６から繰り返し読取原稿トレイ２１上に載置し、当該原稿Ｇが両面原稿Ｇであると、一旦、反転原稿挿入排出口１７から反転トレイ２２上に排出して原稿Ｇを反転させた後、再度、反転原稿挿入排出口１７から取り込んで、原稿読取面３０に搬送して裏面の画像の読み取りを行わせて、原稿挿入排出口１６から繰り返し読取原稿トレイ２１上に載置する。
【００３５】
搬送機構部１３は、繰り返し読取原稿トレイ２１上に載置した原稿Ｇについては、図４に破線と矢印で示すように、繰り返し読取原稿トレイ２１上の原稿Ｇを原稿挿入排出口１６から取り込んで原稿読取面３０に搬送して画像の読み取りを行わせた後、当該原稿Ｇが片面原稿Ｇであると、そのまま、原稿挿入排出口１５から繰り返し読取原稿トレイ２０上に載置し、当該原稿Ｇが両面原稿Ｇであると、一旦、反転原稿挿入排出口１７から反転トレイ２２上に排出して原稿Ｇを反転させた後、再度、反転原稿挿入排出口１７から取り込んで、原稿読取面３０に搬送して裏面の画像の読み取りを行わせて、原稿挿入排出口１５から繰り返し読取原稿トレイ２０上に載置する。
【００３６】
すなわち、ネットワークスキャナ装置２は、クライアントコンピュータＰＣ１〜ＰＣｎから読取指示がある毎に、搬送機構部１３で、繰り返し読取原稿トレイ２０上に載置された原稿Ｇに対しては、繰り返し読取原稿トレイ２１との間で、また、両面原稿Ｇのときには、反転トレイ２２を利用した反転処理を行って、繰り返し読取原稿トレイ２１との間で、繰り返し搬送を行って、繰り返し読み取りを行う繰り返し読取動作処理を行う。
【００３７】
次に、本実施の形態の作用を説明する。本実施の形態のネットワークスキャナシステム１は、ネットワークスキャナ装置２が、繰り返し読取原稿トレイ２２と繰り返し読取原稿トレイ２１との間を、原稿読取面３０上を搬送させつつ、繰り返して搬送することで、繰り返し読み取ることができ、この繰り返し読取動作処理をネットワークスキャナ装置２の接続されているネットワークＮＷに接続されているクライアントコンピュータＰＣ１〜ＰＣｎから制御することができる。
【００３８】
すなわち、ネットワークスキャナ装置２は、動作状態を各種センサで検出して、繰り返し読取原稿トレイ２０、２１が利用可能かどうか検出して、検出結果を、例えば、利用可能機能情報として各クライアントコンピュータＰＣ１〜ＰＣｎに送信する。
【００３９】
各クライアントコンピュータＰＣ１〜ＰＣｎは、ネットワークスキャナ装置２から送信されてくる利用可能機能情報をディスプレイに表示出力し、ネットワークスキャナシステム１の利用者は、ディスプレイに表示される利用可能機能情報を見て、利用可能な機能を使用した読み取り動作設定をクライアントコンピュータＰＣ１〜ＰＣｎで行う。
【００４０】
例えば、いま、利用者が、読取対象の原稿Ｇを、繰り返し読み取りを行わない場合には、自己のクライアントコンピュータＰＣ１〜ＰＣｎで、読取条件を設定して、読取開始を指示する開始コマンドを送信する。
【００４１】
次に、利用者は、ネットワークスキャナ装置２の設置場所に行って、原稿Ｇを読取専用原稿トレイ１９上にセットし、スタートキーを投入する。
【００４２】
ネットワークスキャナ装置２は、原稿Ｇが読取専用原稿トレイ１９にセットされ、スタートキーが投入されると、搬送機構部１３を駆動して、図５に破線と矢印で示したように、読取専用原稿トレイ１９上から原稿Ｇを取り込んで原稿読取面３０に搬送して画像の読み取りを行わせる。このとき、ネットワークスキャナ装置２は、クライアントコンピュータＰＣ１〜ＰＣｎから送信されてきた読取条件を示すコマンドに応じた読み取りを行う。ネットワークスキャナ装置２は、その後、当該原稿Ｇが片面原稿Ｇであると、そのまま、原稿排出口１８から排紙トレイ２３上に排出し、当該原稿Ｇが両面原稿Ｇであると、一旦、反転原稿挿入排出口１７から反転トレイ２２上に排出して原稿Ｇを反転させた後、再度、反転原稿挿入排出口１７から取り込んで、原稿読取面３０に搬送して裏面の画像の読み取りを行わせて、原稿排出口１８から排紙トレイ２３上に排出する。
【００４３】
そして、ネットワークスキャナ装置２は、読み取った原稿Ｇの画像をコマンドを送信してきたクライアントコンピュータＰＣ１〜ＰＣｎまたはコマンドで指定されたクライアントコンピュータＰＣ１〜ＰＣｎに送信する。
【００４４】
また、利用者が、読取対象の原稿Ｇを、繰り返し読み取りを行わせる場合には、自己のクライアントコンピュータＰＣ１〜ＰＣｎで、読取条件を設定して、読取開始を指示する開始コマンドを送信する。
【００４５】
次に、利用者は、ネットワークスキャナ装置２の設置場所に行って、原稿Ｇを繰り返し読取原稿トレイ２０上にセットし、スタートキーを投入する。
【００４６】
ネットワークスキャナ装置２は、原稿Ｇが繰り返し読取原稿トレイ２０にセットされ、スタートキーが投入されると、搬送機構部１３を駆動して、図３に破線と矢印で示したように、繰り返し読取原稿トレイ２０上の原稿Ｇを原稿挿入排出口１５から取り込んで原稿読取面３０に搬送して画像の読み取りを行わせた後、当該原稿Ｇが片面原稿Ｇであると、そのまま、原稿挿入排出口１６から繰り返し読取原稿トレイ２１上に載置し、当該原稿Ｇが両面原稿Ｇであると、一旦、反転原稿挿入排出口１７から反転トレイ２２上に排出して原稿Ｇを反転させた後、再度、反転原稿挿入排出口１７から取り込んで、原稿読取面３０に搬送して裏面の画像の読み取りを行わせて、原稿挿入排出口１６から繰り返し読取原稿トレイ２１上に載置する。
【００４７】
ネットワークスキャナ装置２は、読み取った原稿Ｇの画像データをコマンドを送信してきたクライアントコンピュータＰＣ１〜ＰＣｎに送信し、画像データを受信したクライアントコンピュータＰＣ１〜ＰＣｎは、当該画像データの画像をディスプレイに表示する。
【００４８】
利用者は、クライアントコンピュータＰＣ１〜ＰＣｎのディスプレイに表示される画像を見て、読み取りが正常の行われたか、また、意図する画像品質で読み取られたかを確認することができる。
【００４９】
そして、読み取りが正常に行われなかったり、意図する画質で読み取られていないときには、利用者は、クライアントコンピュータＰＣ１〜ＰＣｎから必要な読取条件の再設定を行って、クライアントコンピュータＰＣ１〜ＰＣｎに、再読取開始を指示するコマンドをネットワークスキャナ装置２に送信させる。
【００５０】
ネットワークスキャナ装置２は、再読取開始のコマンドが送られてくると、搬送機構部１３を駆動して、繰り返し読取原稿トレイ２１上に載置した原稿Ｇを、図４に破線と矢印で示したように、原稿挿入排出口１６から取り込んで原稿読取面３０に搬送して画像の読み取りを行わせた後、当該原稿Ｇが片面原稿Ｇであると、そのまま、原稿挿入排出口１５から繰り返し読取原稿トレイ２０上に載置し、当該原稿Ｇが両面原稿Ｇであると、一旦、反転原稿挿入排出口１７から反転トレイ２２上に排出して原稿Ｇを反転させた後、再度、反転原稿挿入排出口１７から取り込んで、原稿読取面３０に搬送して裏面の画像の読み取りを行わせて、原稿挿入排出口１５から繰り返し読取原稿トレイ２０上に載置する。
【００５１】
すなわち、ネットワークスキャナ装置２は、クライアントコンピュータＰＣ１〜ＰＣｎからのコマンドに応じて、搬送機構部１３を駆動して、繰り返し読取原稿トレイ２０上に載置された原稿Ｇを、繰り返し読取原稿トレイ２１との間で、また、両面原稿Ｇのときには、反転トレイ２２を利用した反転処理を行って、繰り返し読取原稿トレイ２１との間で、繰り返し搬送を行って、繰り返し読み取りを行う繰り返し読取動作処理を、クライアントコンピュータＰＣ１〜ＰＣｎから読取指示コマンドが送られてくる毎に行う。
【００５２】
そして、ネットワークスキャナ装置２は、最終的に読み取った原稿Ｇの画像データをコマンドを送ってきたクライアントコンピュータＰＣ１〜ＰＣｎまたはコマンドで指定されたクライアントコンピュータＰＣ１〜ＰＣｎに送信する。
【００５３】
さらに、ネットワークスキャナ装置２は、上記繰り返し読取動作中に、他の利用者が読取専用原稿トレイ１９上に原稿Ｇをセットして読み取りを指示すると、繰り返し読取動作を一時中断し、１回のみの読み取りを行う読取専用原稿トレイ１９上の原稿Ｇを優先して読み取りを行い、当該読取専用原稿トレイ１９上の原稿Ｇの読み取りが完了すると、一時中断していた繰り返し読取動作を再開する。
【００５４】
なお、上記説明では、繰り返し読取原稿トレイ２０、２１を２つのみ設けいている場合について説明したが、３つ以上設けてもよく、このようにすると、複数のクライアントコンピュータＰＣ１〜ＰＣｎからの読取指示にも適切に対応することができる。
【００５５】
このように、本実施の形態のネットワークスキャナシステム１は、ネットワークスキャナ装置２が、クライアントコンピュータＰＣ１〜ＰＣｎからの読取指示に応じて、同一原稿Ｇを原稿読取面３０上に繰り返し搬送して、当該原稿Ｇを読み取って、当該読み取った原稿Ｇの画像データを読取指示を送信してきたクライアントコンピュータＰＣ１〜ＰＣｎにネットワークＮＷを介して送信する繰り返し読取動作処理をクライアントコンピュータＰＣ１〜ＰＣｎからの読取指示がある毎に実行している。
【００５６】
したがって、クライアントコンピュータＰＣ１〜ＰＣｎとネットワークスキャナ装置２の間を往復移動することなく、また、ネットワークスキャナ装置２に大型のディスプレイを設けることなく、クライアントコンピュータＰＣ１〜ＰＣｎからの操作で、同一原稿Ｇを意図する画像品質で読み取られるまで繰り返し読み取らせることができ、安価に意図する画像を容易に取得することができるとともに、利用性を向上させることができる。
【００５７】
また、本実施の形態のネットワークスキャナシステム１は、ネットワークスキャナ装置２に、少なくとも２つの繰り返し読取原稿トレイ２０、２１と、当該繰り返し読取原稿トレイ２０、２１の間を原稿読取面３０上を通過させて繰り返し搬送する搬送機構部１３を設け、クライアントコンピュータＰＣ１〜ＰＣｎからの読取指示に応じて、搬送機構部１３で、繰り返し読取原稿トレイ２０、２１の１つにセットされた原稿Ｇを原稿読取面３０上を通過させて他の繰り返し読取原稿トレイ２０、２１上に搬送し、当該原稿読取面３０上を通過する原稿Ｇを読み取って、当該読み取った原稿Ｇの画像データを当該読取指示を送信してきたクライアントコンピュータＰＣ１〜ＰＣｎにネットワークＮＷを介して送信する繰り返し読取動作処理をクライアントコンピュータＰＣ１〜ＰＣｎからの読取指示がある毎に実行している。
【００５８】
したがって、クライアントコンピュータＰＣ１〜ＰＣｎとネットワークスキャナ装置２の間を往復移動することなく、また、ネットワークスキャナ装置２に大型のディスプレイを設けることなく、クライアントコンピュータＰＣ１〜ＰＣｎからの操作で、同一原稿Ｇを意図する画像品質で読み取られるまで繰り返し読み取らせることができ、また、繰り返し読取原稿トレイ２０、２１を３つ以上設けることで、複数のクライアントコンピュータＰＣ１〜ＰＣｎからの読取指示にも適切に対応することができ、安価に意図する画像を容易に取得することができるとともに、より一層利用性を向上させることができる。
【００５９】
さらに、本実施の形態のネットワークスキャナシステム１は、１回のみ読み取りを行う原稿Ｇの載置される読取専用原稿トレイ１９と、読み取りの完了した原稿Ｇの排出される排紙トレイ２３と、を設け、搬送機構部１３が、読取専用原稿トレイ１９上に載置された原稿Ｇを原稿読取面３０上を通過させて排紙トレイ２３上に排出させて、原稿読取面３０上を通過する原稿Ｇを読み取っている。
【００６０】
したがって、１回のみ読み取りを行う原稿Ｇを、繰り返し読み取りを行う原稿Ｇと区別して読取処理を行ることができ、安価に意図する画像を容易に取得することができるとともに、より一層利用性を向上させることができる。
【００６１】
また、本実施の形態のネットワークスキャナシステム１は、繰り返し読取動作中に、読取専用原稿トレイ１９上に原稿Ｇが載置されると、当該繰り返し読取動作を一時中断して、当該読取専用原稿トレイ１９上の原稿Ｇの搬送と当該原稿Ｇの読み取りを優先して行い、読取専用原稿トレイ１９上の原稿Ｇの搬送と読み取りが完了すると、当該中断した繰り返し読み取り動作処理を続行している。
【００６２】
したがって、１回のみ読み取りを行う原稿Ｇの読み取りを、繰り返し読み取りを行う原稿Ｇの読み取りに優先して行って、ネットワークスキャナ装置２が繰り返し読み取りを行うクライアントコンピュータＰＣ１〜ＰＣｎに占有されることを防止することができ、安価に意図する画像を容易に取得することができるとともに、より一層利用性を向上させることができる。
【００６３】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００６４】
【発明の効果】
請求項１記載の発明のネットワークスキャナシステムによれば、ネットワークに少なくとも画像読取装置と複数のクライアント端末が接続され、画像読取装置が、クライアント端末で設定された読取条件に基づいて、読取面上を搬送される原稿を読取手段で読み取って当該読み取った原稿の画像データをネットワークを介して当該クライアント端末または当該クライアント端末から指定された他のクライアント端末に送信するに際して、画像読取装置が、クライアント端末からの読取指示に応じて、同一原稿を読取面上に繰り返し搬送する搬送手段で同一原稿を読取面上に搬送して、読取手段で当該原稿を読み取って、当該読み取った原稿の画像データを当該読取指示を送信してきたクライアント端末にネットワークを介して送信する繰り返し読取動作処理をクライアント端末からの読取指示がある毎に実行するので、クライアント端末と画像読取装置の間を往復移動することなく、また、画像読取装置に大型のディスプレイを設けることなく、クライアント端末からの操作で、同一原稿を意図する画像品質で読み取られるまで繰り返し読み取らせることができ、安価に意図する画像を容易に取得することができるとともに、利用性を向上させることができる。
【００６５】
請求項２記載の発明のネットワークスキャナシステムによれば、ネットワークに少なくとも画像読取装置と複数のクライアント端末が接続され、画像読取装置が、クライアント端末で設定された読取条件に基づいて、読取面上を搬送される原稿を読取手段で読み取って当該読み取った原稿の画像データをネットワークを介して当該クライアント端末または当該クライアント端末から指定された他のクライアント端末に送信するに際して、画像読取装置に、少なくとも２つの繰り返し読取原稿トレイと、当該繰り返し読取原稿トレイの間を読取面上を通過させて繰り返し搬送する搬送手段を設け、クライアント端末からの読取指示に応じて、搬送手段で、繰り返し読取原稿トレイの１つにセットされた原稿を読取面上を通過させて他の繰り返し読取原稿トレイ上に搬送し、当該読取面上を通過する当該原稿を読取手段で読み取って、当該読み取った原稿の画像データを当該読取指示を送信してきたクライアント端末にネットワークを介して送信する繰り返し読取動作処理をクライアント端末からの読取指示がある毎に実行するので、クライアント端末と画像読取装置の間を往復移動することなく、また、画像読取装置に大型のディスプレイを設けることなく、クライアント端末からの操作で、同一原稿を意図する画像品質で読み取られるまで繰り返し読み取らせることができ、また、繰り返し読取原稿トレイを３つ以上設けることで、複数のクライアント端末からの読取指示にも適切に対応することができ、安価に意図する画像を容易に取得することができるとともに、より一層利用性を向上させることができる。
【００６６】
請求項３記載の発明のネットワークスキャナシステムによれば、１回のみ読み取りを行う原稿の載置される１回読取原稿トレイと、読み取りの完了した原稿の排出される排紙トレイと、を設け、搬送手段が、当該１回読取原稿トレイ上に載置された原稿を読取面上を通過させて排紙トレイ上に排出させて、当該読取面上を通過する当該原稿を読取手段で読み取るので、１回のみ読み取りを行う原稿を、繰り返し読み取りを行う原稿と区別して読取処理を行ることができ、安価に意図する画像を容易に取得することができるとともに、より一層利用性を向上させることができる。
【００６７】
請求項４記載の発明のネットワークスキャナシステムによれば、繰り返し読取動作中に、１回読取原稿トレイ上に原稿が載置されると、当該繰り返し読取動作を一時中断して、当該１回読取原稿トレイ上の当該原稿の搬送と当該原稿の読み取りを優先して行い、当該１回読取原稿トレイ上の原稿の搬送と読み取りが完了すると、当該中断した繰り返し読み取り動作処理を続行するので、１回のみ読み取りを行う原稿の読み取りを、繰り返し読み取りを行う原稿の読み取りに優先して行って、画像読取装置が繰り返し読み取りを行うクライアント端末に占有されることを防止することができ、安価に意図する画像を容易に取得することができるとともに、より一層利用性を向上させることができる。
【図面の簡単な説明】
【図１】本発明のネットワークスキャナシステムの一実施の形態を適用したネットワークスキャナシステムのシステム構成図。
【図２】図１のネットワークスキャナ装置のＡＤＦ部の拡大斜視図。
【図３】図２のネットワークスキャナ装置の繰り返し読取原稿トレイ上にセットされた原稿を原稿読取面を経由して他の繰り返し読取原稿トレイ上に搬送する場合の動作説明図。
【図４】図３のネットワークスキャナ装置の他の繰り返し読取原稿トレイ上に搬送されてきた原稿を原稿読取面を経由して元の繰り返し読取原稿トレイ上に搬送する場合の動作説明図。
【図５】図２のネットワークスキャナ装置の読取専用原稿トレイ上にセットされた原稿を原稿読取面を経由して排紙トレイ上に搬送する場合の動作説明図。
【符号の説明】
１  ネットワークスキャナシステム
２  ネットワークスキャナ装置
ＰＣ１〜ＰＣｎ  クライアントコンピュータ
ＮＷ  ネットワーク
１１  本体筐体
１２  ＡＤＦ
１３  搬送機構部
１４  読取専用原稿挿入口
１５、１６  原稿挿入排出口
１７  反転原稿挿入排出口
１８  原稿排出口
１９  読取専用原稿トレイ
２０、２１  繰り返し読取原稿トレイ
２２  反転トレイ
２３  排紙トレイ
【図１】
2004282446.tif 000003
【図２】
2004282446.tif 000004
【図３】
2004282446.tif 000005
【図４】
2004282446.tif 000006
【図５】
2004282446.tif 000007